(57)【要約】【課題】スピーカによる音声出力機能を備えた飯盒を提供する。【解決手段】本発明は、本体２と、本体２内に収納され、音声を出力する音声出力ユニット３と、を備えた飯盒である。音声出力ユニット３は、外部機器と通信する通信部と、通信部で受信した音声データを音声信号に復号する音響処理部と、音声信号に基づき音声を出力するスピーカ４ａ、４ｂとを有する。【選択図】図１
2020080883.tif 000002
【特許請求の範囲】
【請求項１】
本体と、
前記本体内に収納され、音声を出力する音声出力ユニットと、を備えた
飯盒。
【請求項２】
前記音声出力ユニットは、
外部機器と通信する通信部と、
前記通信部で受信した音声データを音声信号に復号する音響処理部と、
前記音声信号に基づき音声を出力するスピーカと、を有する
請求項１に記載の飯盒。
【請求項３】
前記音声出力ユニットは、
前記本体の内面に固定される中蓋部材と、前記中蓋部材に実装された制御基板と、前記制御基板に配線により接続されたスピーカと、で構成されている。
請求項１に記載の飯盒。
【請求項４】
前記本体の側面には、一対の支持部材が配設されており、
前記支持部材には、把手の両先端が回動自在に装着されており、
前記把手の先端は、所定位置まで回動すると前記支持部材に固定される
請求項１又は請求項２に記載の飯盒。
【発明の詳細な説明】
【技術分野】
【０００１】
本発明は、音声出力機能を備えた飯盒に関する。
【背景技術】
【０００２】
従来、旅先での野営等に用いるものとして、飯盒がある。飯盒によれば、野営先等において簡易且つ迅速にご飯を炊くことが可能である。また、一般的に飯盒は、コンパクト且つシンプルな構成であることから、旅等において携帯するのにも適しており、その取扱いについても、すぐに理解できるという利点がある。
【０００３】
ここで、飯盒を開示したものとして、例えば、特許文献１では、飯盒本体の上縁に中盒を掛止し、かつ該飯盒本体を覆う蓋体と、飯盒本体を吊持し得る把手を設けてなる飯盒が開示されている。
【先行技術文献】
【特許文献】
【０００４】
【特許文献１】実公平３−３００１３号公報
【発明の概要】
【発明が解決しようとする課題】
【０００５】
しかしながら、音声出力機能を備えた飯盒は未だに実現されていない。
【０００６】
本発明は、このような課題に鑑みてなされたものであり、その目的とするところは、音声出力機能を備えた飯盒を提供することにある。
【課題を解決するための手段】
【０００７】
上記課題を解決するために、本発明の第１の態様に係る音響機能を備えた飯盒は、本体と、前記本体内に収納され、音声を出力する音声出力ユニットと、を備えている。
【０００８】
本発明の第２の態様は、第１の態様において、前記音声出力ユニットは、外部機器と通信する通信部と、前記通信部で受信した音声データを音声信号に復号する音響処理部と、前記音声信号に基づき音声を出力するスピーカとを有する。
【０００９】
本発明の第３の態様は、第１の態様において、前記音声出力ユニットは、前記本体の内面に固定される中蓋部材と、前記中蓋部材に実装された制御基板と、前記制御基板に配線により接続されたスピーカと、で構成されている。
【００１０】
本発明の第４の態様は、第１乃至第３の態様において、前記本体の側面には、一対の支持部材が配設されており、前記支持部材には、把手の両先端が回動自在に装着されており、前記把手の先端は、所定位置まで回動すると前記支持部材に固定される。
【発明の効果】
【００１１】
本発明によれば、音声出力機能を備えた飯盒を提供することができる。
【図面の簡単な説明】
【００１２】
【図１】本発明の一実施形態に係る音声出力機能を備えた飯盒の構成図である。
【図２】同飯盒の音声出力ユニットの構成図である。
【図３】同飯盒の使用の様子を示す図である。
【図４】図４（ａ）、図４（ｂ）は、把手の回動の様子を示す図である。
【図５】同飯盒の制御系の構成を示す図である。
【発明を実施するための形態】
【００１３】
以下、図面を参照しつつ本発明の一実施形態について説明する。
【００１４】
図１には、本発明の一実施形態に係る音声出力機能を備えた飯盒の構成を示し説明する。
【００１５】
同図に示されるように、音声出力機能を備えた飯盒（以下、飯盒という）１は、上部開口で中空の本体２を備えている。本体２は、上方の第１部分２ａの内径が、下方の第２部分２ｂの内径よりも大きくなっている。音声出力ユニット３は、中蓋状になっており、上方から本体２の内部に挿入すると、本体２の第１部分２ａと第２部分２ｂの境界のところで位置固定されるようになっている。音声出力ユニット３は、この例では、２つのスピーカ４ａ，４ｂを有している。音声出力ユニット３は、更にＡＣアダプタを接続する電源端子５も備えている。音声出力ユニット３には、この電源端子５よりＡＣアダプタを介して電源供給される。本体２の第２部分２ｂの両側面には、回動支持部７，８が設けられており、この回動支持部７，８には、把手６が回動自在に装着される。この把手６は、後述するように、所定の位置で位置固定できる構造となっている。未使用時には、本体２の上部開口に蓋部材９を被せることになる。
【００１６】
図２には、飯盒１の音声出力ユニット３の構成を詳細に示し説明する。
【００１７】
同図に示されるように、音声出力ユニット３の中蓋部材３ａには、当該中蓋部材３ａの開口部に、背面から表面に向けて２つのスピーカ４ａ，４ｂが露呈するように配設されている。これらスピーカ４ａ，４ｂの間の空間には、支持部材１０が配設されており、当該支持部材１０には、制御基板１１が実装されている。ここでは、不図示であるが、制御基板１１とスピーカ４ａ，４ｂとは配線により接続されている。
【００１８】
このような構成において、制御基板１１が、楽曲等のデータを受信すると、制御部の制御の下で、当該楽曲等のデータが音声信号に変換されて、２つのスピーカ４ａ，４ｂより音声出力がなされる。尚、制御系の構成及び作用については、後に詳述する。
【００１９】
図３には、飯盒１の音声出力時の使用態様を示し説明する。
【００２０】
同図に示されるように、音声出力時には、本体２の固定部９に固定された支持部材８に対して、把手６が図示のように位置固定される。これにより、本体２が、所定の角度で傾斜した状態で把手６により支えられる。音声出力ユニット３の電源端子５には、ＡＣアダプタが接続され、電源供給され、不図示の制御基板の制御部の制御の下、２つのスピーカ４ａ，４ｂより楽曲等の音声が出力されることになる。
【００２１】
ここで、図４（ａ）、図４（ｂ）を参照して、把手６の位置固定について説明する。
【００２２】
図４（ａ）に示される状態のときには、把手６の先端部は、その内面が固定部９から突出するように固定された支持部材８の凸部８ｂの上を摺動するので、把手６が下方に傾く方向で自由に回動する。そして、把手６の折り返した先端部にできる隙間が支持部材８の軸部８ａより突出した凸部８ｂのところに差し掛かると、当該把手６の隙間が凸部８ｂに嵌合され、これにより図４（ｂ）に示されるように位置固定される。そして、再び把手６を上方に向けて回動させると、再び把手６の先端の内径が凸部８ｂの上に乗りかかるので当該凸部８ｂの上を自由に回動可能となる。
【００２３】
最後に、図５には、同飯盒の制御系の構成を示し説明する。
【００２４】
同図に示されるように、制御基板１１は、音響処理部２１、無線通信部２２、記憶部２３、電源部２４、及び電源端子５を備えており、音響処理部２１は２つのスピーカ４ａ，４ｂに接続されている。無線通信部２２は、ユーザのスマートフォン等の端末装置とＢｌｕｅｔｏｔｈ（登録商標）等により無線通信を行う。音響処理部２１は、無線通信部２２を介して受信した音声データを音声信号に復号等して、スピーカ４ａ，４ｂに当該音声信号を出力する。記憶部２３は、無線通信部２２を介して得た音声データを記憶する。電源部２４は、バッテリ等により構成されており、各部に電源供給する。電源端子５は、ＡＣアダプタ等が接続される端子である。
【００２５】
このような構成において、無線通信部２２が、端末装置と無線通信を行い、当該端末装置から音声データを受信すると、音響処理部２１は、当該音声データを受け、音声信号に変換して、スピーカ４ａ，４ｂに送る。これにより、スピーカ４ａ，４ｂより、ユーザが所望とする楽曲等の音声出力が実現される。
【００２６】
以上説明したように、本発明の一実施形態に係る飯盒によれば、ご飯を炊くという通常の機能に加えて、音声出力機能も備えているので、旅先等において、通常のキャンプ用品として使用しつつ、音楽を再生して楽しむことも可能となる。また、未使用時には、音声出力ユニットは飯盒内に収容されているので、一般的な飯盒と同じように簡易且つ気軽に持ち運ぶことが可能である。
【００２７】
以上、本発明の一実施形態について説明したが、本発明はこれに限定されることなくその趣旨を逸脱しない範囲で種々の改良・変更が可能であることは勿論である。
【００２８】
例えば、上記実施形態では、Ｂｌｕｅｔｏｏｔｈ（登録商標）接続により、スマートフォン等に記憶された楽曲データを飯盒１側に送信して、音声出力する例を説明したが、飯盒１が無線又は有線でインターネット等の通信網に接続し、サーバ装置等から提供される楽曲データを再生するようにしてもよい。
【符号の説明】
【００２９】
１…飯盒、２…本体、２ａ…第１部分、２ｂ…第２部分、３…音声出力ユニット、３ａ…中蓋部材、４ａ，４ｂ…スピーカ、５…電源端子、６…把手、７…支持部材、８…支持部材、８ａ…軸部材、８ｂ…凸部、９…固定部材、１０…支持部材、１１…制御基板、１２…蓋部材。
【図１】
2020080883.tif 000003
【図２】
2020080883.tif 000004
【図３】
2020080883.tif 000005
【図４】
2020080883.tif 000006
【図５】
2020080883.tif 000007
【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
上部開口で中空であって、上方の第１部分の内径が下方の第２部分の内径よりも大きくなっている本体と、
前記本体の内面の前記第１部分と第２部分の境界のところで位置固定される中蓋部材と、
前記中蓋部材の開口部に背面から表面に向けて露呈するように配設された２つのスピーカと、前記２つのスピーカの間の空間に配設された支持部材と、前記支持部材に実装された制御基板と、からなり、音声を出力する音声出力ユニットと、を備えた
飯盒。
【請求項２】
前記音声出力ユニットは、
外部機器と通信する通信部と、
前記通信部で受信した音声データを音声信号に復号する音響処理部と、を更に有する
請求項１に記載の飯盒。
【請求項３】
前記本体の側面には、一対の支持部材が配設されており、
前記支持部材には、把手の両先端が回動自在に装着されており、
前記支持部材は凸部を備えた軸部を有し、
前記把手の前記先端部は、前記支持部材の凸部の上を摺動し、前記把手が下方に傾く方向で自由に回動し、前記把手の折り返した先端部にできる隙間が前記支持部材の前記軸部より突出した前記凸部のところに差し掛かると、前記把手の隙間が前記凸部に嵌合されて所定角度で位置固定され、前記把手を上方に向けて回動させると、前記把手の先端の内径が前記凸部の上に乗りかかるので前記凸部の上を自由に回動可能となる
請求項１又は請求項２のいずれか１項に記載の飯盒。
【手続補正２】
【補正対象書類名】明細書
【補正対象項目名】０００７
【補正方法】変更
【補正の内容】
【０００７】
上記課題を解決するために、本発明の第１の態様に係る音響機能を備えた飯盒は、上部開口で中空であって、上方の第１部分の内径が下方の第２部分の内径よりも大きくなっている本体と、前記本体の内面の前記第１部分と第２部分の境界のところで位置固定される中蓋部材と、前記中蓋部材の開口部に背面から表面に向けて露呈するように配設された２つのスピーカと、前記２つのスピーカの間の空間に配設された支持部材と、前記支持部材に実装された制御基板と、からなり、音声を出力する音声出力ユニットと、を備えている。
【手続補正３】
【補正対象書類名】明細書
【補正対象項目名】０００８
【補正方法】変更
【補正の内容】
【０００８】
本発明の第２の態様は、第１の態様において、前記音声出力ユニットは、外部機器と通信する通信部と、前記通信部で受信した音声データを音声信号に復号する音響処理部と、を更に有する。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
本発明の第３の態様は、第１又は第２の態様において、前記本体の側面には、一対の支持部材が配設されており、前記支持部材には、把手の両先端が回動自在に装着されており、前記支持部材は凸部を備えた軸部を有し、前記把手の前記先端部は、前記支持部材の凸部の上を摺動し、前記把手が下方に傾く方向で自由に回動し、前記把手の折り返した先端部にできる隙間が前記支持部材の前記軸部より突出した前記凸部のところに差し掛かると、前記把手の隙間が前記凸部に嵌合されて所定角度で位置固定され、前記把手を上方に向けて回動させると、前記把手の先端の内径が前記凸部の上に乗りかかるので前記凸部の上を自由に回動可能となる。